(57)【要約】      （修正有）【課題】全面化粧カバーと半面化粧カバーとに供用可能でありながら、構成が簡素化されたフロントパネルを提供する。【解決手段】フロントパネル本体１０と化粧カバーとを有する。全面化粧カバーと半面化粧カバーとの両方に供用される支軸と、全面化粧カバーの開閉動作を制御するためのダンパー機構を取付け可能な第１取付部７１と、全面化粧カバーの開閉運動をダンパー機構に伝達する駆動歯車が挿通される第１開口部と、マグネット取付部７７と、半面化粧カバーの開閉動作を制御するための板ばね材を取付け可能な第２取付部７５と、半面化粧カバーの開閉運動を板ばね材に伝達する偏心カムが挿通される第２開口部とを備える。第１及び第２の各開口部を、フロントパネル本体１０に形成した１つの開口部４５によって供用させる。【選択図】図８
2012053935.tif 000002
【特許請求の範囲】
【請求項１】
電気機器キャビネットの前端部に装備されるフロントパネル本体と、このフロントパネル本体に取り付けられて起立姿勢の閉位置と前倒姿勢の開位置との間で開閉揺動される化粧カバーとを有する電気機器のフロントパネルにおいて、
上記フロントパネル本体に設けられていて、上記化粧カバーとして選択的に用いられる縦幅サイズの大きな第１カバーとこの第１カバーよりも縦幅サイズの小さな第２カバーとの両方に供用されて、それら２種類のカバーの開閉揺動支点を形成する支軸と、
上記フロントパネル本体の裏面側に設けられて、上記支軸に取り付けられた上記第１カバーの開閉運動が伝達されることによってその第１カバーの開閉動作を制御するための第１開閉支援機構を取付け可能な第１取付部と、
上記フロントパネル本体に設けられて、上記第１カバーの開閉運動を上記第１開閉支援機構に伝達する第１作用部材が挿通される第１開口部と、
上記フロントパネル本体の裏面側に設けられて、上記第１カバーに設けられた吸着片を引き寄せてその第１カバーを閉位置に保持するマグネットを取付け可能なマグネット取付部と、
上記フロントパネル本体の裏面側の上記第１取付部とは異なる位置に設けられて、上記支軸に取り付けられた上記第２カバーの開閉運動が伝達されることによってその第２カバーの開閉動作を制御するための第２開閉支援機構を取付け可能な第２取付部と、
上記フロントパネル本体に設けられて、上記第２カバーの開閉運動を上記第２開閉支援機構に伝達する第２作用部材が挿通される第２開口部と、を備えていると共に、第１及び第２の上記各開口部が、上記フロントパネル本体に形成された１つの開口部によって供用されていることを特徴とする電気機器のフロントパネル。
【請求項２】
上記第１開口部には、上記第１カバーに設けられてその第１カバーの開閉揺動支点と同心位置に位置する駆動歯車でなる上記第１作用部材を挿通可能であり、
上記第１取付部には、上記第１開口部に挿通された上記駆動歯車が噛み合う従動歯車とこの従動歯車の回転運動に抵抗を与える抵抗付与手段と取付座とを備えるダンパーによって形成された上記第１開閉支援機構の上記取付座を装着可能であって、
上記第１取付部の位置が上記第１開口部の横位置に近接して定められている請求項１に記載した電気機器のフロントパネル。
【請求項３】
上記第２開口部には、上記第２カバーに設けられてその第２カバーの開閉揺動支点の偏心箇所に位置する偏心カムでなる上記第２作用部材を挿通可能であり、
上記第２取付部には、上記第２開口部に挿通された上記偏心カムを弾圧して上記第２カバーを閉位置に保持する機能を発揮するばね板部とこのばね板部の端部に設けられた取付板部とを備える板ばね材によって形成された上記第２開閉支援機構の上記取付板部を装着可能であって、
上記第２取付部の位置が上記第１開口部の上側位置に近接して定められている請求項１又は請求項２に記載した電気機器のフロントパネル。
【発明の詳細な説明】
【技術分野】
【０００１】
本発明は、電気機器のフロントパネル、特に、縦幅サイズの異なる２種類の化粧カバーに供用することを可能にするための対策が講じられたフロントパネルに関する。
【背景技術】
【０００２】
ＤＶＤドライブやＢＤドライブ、磁気テープドライブといったメディア駆動機構を装備したキャビネットを形成する電気機器のフロントパネルにおいて、電源スイッチや動作モードの制御ボタン、動作状態を示す表示窓などが装備されたフロントパネル本体に、開閉型の化粧カバーを取り付けることが行われている。そして、フロントパネル本体に取り付けられた化粧カバーは、上記の電源スイッチや制御ボタンが不用意に操作されてしまうことを防ぐための保護カバーや、電源スイッチや制御ボタン、表示窓などを覆い隠すための目隠しカバーなどとして役立つほか、電気機器のキャビネット全体のデザイン性や外観品位を高めることなどにも役立つ。
【０００３】
一方、横幅寸法が同一又は略同一のキャビネットを備えた電気機器では、たとえば、フロントパネル本体の前面全体を化粧カバーによって覆い隠すことができるようにしたものや、フロントパネル本体の前面の略下半部を化粧カバーによって覆い隠すことができるようにしたものが知られている。ところが、フロントパネル本体の前面全体を覆い隠すことのできる化粧カバー（全面化粧カバーという）と、フロントパネル本体の前面の略下半部を覆い隠すことのできる化粧カバー（半面化粧カバーという）とは、それらの横幅寸法が同一又は略同一であるとしても、全面化粧カバーは半面化粧カバーよりも縦幅寸法が長いので、一般的には、その重量も全面化粧カバーが半面化粧カバーよりも重くなっている。そこで、フロントパネル本体に取り付けた際の全面化粧カバーや半面化粧カバーの開閉動作を制御するための開閉支援機構や、それらの閉位置を保持させるための閉位置保持機構には、全面化粧カバー及び半面化粧カバーのそれぞれに適した特性を発揮する種類の機構を取り付けることが要求される。
【０００４】
そこで、従来は、電源スイッチや制御ボタン、表示窓などの配置パターンや形状が同一であるとしても、開閉支援機構や閉位置保持機構が取り付けられる部分の構造が異なる２種類のフロントパネル本体を別々に製作し、一方の種類のフロントパネル本体には全面化粧カバーを取り付け、他方の種類のフロントパネル本体には半面化粧パネルを取り付けるということが行われていた。
【０００５】
先行例によると、上記した開閉支援機構や閉位置保持機構の役割を板バネによって発揮させるようにしたもの（たとえば、特許文献１、特許文献２参照）や、バネによる扉の閉状態の動作を漸次緩行するダンパーによって発揮させるようにしたもの（たとえば、特許文献３参照）などが提案されている。
【先行技術文献】
【特許文献】
【０００６】
【特許文献１】特開平９−８３１５３号公報
【特許文献２】特開２００９−９９６３１号公報
【特許文献３】特開２００７−１５４５７０号公報
【発明の概要】
【発明が解決しようとする課題】
【０００７】
しかしながら、従来のように、全面化粧カバーに専用のフロントパネル本体と半面化粧カバーに専用のフロントパネル本体とを別々に製作することは、両方のフロントパネル本体に具備される電源スイッチや制御ボタン、表示窓などの配置パターンや形状が同一であることを勘案すると、それら２種類のフロントパネル本体の管理や取扱いが煩雑になり、コスト的にも不利になるという問題点があった。
【０００８】
本発明は以上の問題に鑑みてなされたものである。すなわち、本発明は、全面化粧カバーと半面化粧カバーとの両方に供用することが可能でありながら、各化粧カバーのそれぞれに適した特性を発揮する開閉支援機構や閉位置保持機構を無理なく取り付けることができ、しかも、各化粧カバーの開閉揺動支点を形成する支軸や、各化粧カバーの開閉支援機構を動作させるための作用部材を挿通させるためにフロントパネル本体に設けることが必要になる開口部の数を最少限度に抑えて、当該フロントパネル本体の構成を簡素化することのできる電気機器のフロントパネルを提供することを目的とする。
【課題を解決するための手段】
【０００９】
本発明に係る電気機器のフロントパネルは、電気機器キャビネットの前端部に装備されるフロントパネル本体と、このフロントパネル本体に取り付けられて起立姿勢の閉位置と前倒姿勢の開位置との間で開閉揺動される化粧カバーとを有する。そして、上記フロントパネル本体に設けられていて、上記化粧カバーとして選択的に用いられる縦幅サイズの大きな第１カバーとこの第１カバーよりも縦幅サイズの小さな第２カバーとの両方に供用されて、それら２種類のカバーの開閉揺動支点を形成する支軸と、上記フロントパネル本体の裏面側に設けられて、上記支軸に取り付けられた上記第１カバーの開閉運動が伝達されることによってその第１カバーの開閉動作を制御するための第１開閉支援機構を取付け可能な第１取付部と、上記フロントパネル本体に設けられて、上記第１カバーの開閉運動を上記第１開閉支援機構に伝達する第１作用部材が挿通される第１開口部と、上記フロントパネル本体の裏面側に設けられて、上記第１カバーに設けられた吸着片を引き寄せてその第１カバーを閉位置に保持するマグネットを取付け可能なマグネット取付部と、上記フロントパネル本体の裏面側の上記第１取付部とは異なる位置に設けられて、上記支軸に取り付けられた上記第２カバーの開閉運動が伝達されることによってその第２カバーの開閉動作を制御するための第２開閉支援機構を取付け可能な第２取付部と、上記フロントパネル本体に設けられて、上記第２カバーの開閉運動を上記第２開閉支援機構に伝達する第２作用部材が挿通される第２開口部と、を備えていると共に、第１及び第２の上記各開口部が、上記フロントパネル本体に形成された１つの開口部によって供用されている。
【００１０】
このように構成されているフロントパネルによると、縦幅サイズの大きな第１カバーを化粧カバーとして用いるときと縦幅サイズの小さな第２カバーを化粧カバーとして用いるときとで、それらの開閉揺動支点を形成する支軸が供用されるので、第１及び第２の各カバーについて各別の支軸を設ける必要がない。加えて、第１カバーの開閉運動を第１開閉支援機構に伝達する第１作用部材が挿通される第１開口部と、第２カバーの開閉運動を第２開閉支援機構に伝達する第２作用部材が挿通される第２開口部とが、１つの開口部によって供用されるので、第１開口部と第２開口部とを各別に設ける必要がない。そのため、化粧カバーとしての第１カバーと第２カバーとの両方に供用することが可能でありながら、各カバーの開閉揺動支点を形成する支軸や、各カバーの開閉支援機構を動作させるための作用部材を挿通させるためにフロントパネル本体に設けることが必要になる開口部の数が最少限度に抑えられてフロントパネル本体の構成が簡素化される。
【００１１】
また、フロントパネル本体には、第１カバーの開閉動作を制御するための第１開閉支援機構を取付け可能な第１取付部と第２カバーの開閉動作を制御するための第２開閉支援機構を取付け可能な第２取付部とが異なる位置に設けられているので、第１取付部を利用して第１カバーに適する第１開閉支援機構を無理なく取り付けることが可能になり、第２取付部を利用して第２カバーに適する第２開閉支援機構を無理なく取り付けることが可能になる。したがって、第１カバーに適した特性を発揮する第１開閉支援機構や第２カバーに適した特性を発揮する第１開閉支援機構を無理なく使用することができる。
【００１２】
本発明において、上記第１開口部には、上記第１カバーに設けられてその第１カバーの開閉揺動支点と同心位置に位置する駆動歯車でなる上記第１作用部材を挿通可能であり、上記第１取付部には、上記第１開口部に挿通された上記駆動歯車が噛み合う従動歯車とこの従動歯車の回転運動に抵抗を与える抵抗付与手段と取付座とを備えるダンパーによって形成された上記第１開閉支援機構の上記取付座を装着可能であって、上記第１取付部の位置が上記第１開口部の横位置に近接して定められている、という構成を採用することが可能である。
【００１３】
さらに本発明において、上記第２開口部には、上記第２カバーに設けられてその第２カバーの開閉揺動支点の偏心箇所に位置する偏心カムでなる上記第２作用部材を挿通可能であり、上記第２取付部には、上記第２開口部に挿通された上記偏心カムを弾圧して上記第２カバーを閉位置に保持する機能を発揮するばね板部とこのばね板部の端部に設けられた取付板部とを備える板ばね材によって形成された上記第２開閉支援機構の上記取付板部を装着可能であって、上記第２取付部の位置が上記第１開口部の上側位置に近接して定められている、という構成を採用することが可能である。
【発明の効果】
【００１４】
以上のように、本発明に係る電気機器のフロントパネルによれば、縦幅サイズの異なる２種類の化粧カバーの両方に供用することが可能でありながら、各化粧カバーのそれぞれに適した特性を発揮する開閉支援機構や閉位置保持機構を無理なく取り付けることができ、しかも、各化粧カバーの開閉揺動支点を形成する支軸や、各化粧カバーの開閉支援機構を動作させるための作用部材を挿通させるためにフロントパネル本体に設けることが必要になる開口部の数を最少限度に抑えて、当該フロントパネル本体の構成を簡素化することが可能になる。その結果、冒頭で説明した全面化粧カバーを備えたフロントパネルや半面化粧カバーを備えたフロントパネルを組み立てる際に、フロントパネル本体を共通化することが可能になって、フロントパネル本体の管理や取扱いが容易になり、コスト的にも有利になるという効果が奏される。
【図面の簡単な説明】
【００１５】
【図１】本発明の実施形態に係る全面化粧カバーが取り付けられたフロントパネルの正面図である。
【図２】全面化粧カバーを閉じた状態での図１のＩＩ矢視図である。
【図３】全面化粧カバーを開いた状態での図１のＩＩＩ矢視図である。
【図４】本発明の実施形態に係る半面化粧カバーが取り付けられたフロントパネルの正面図である。
【図５】半面化粧カバーを閉じた状態での図４のＶ矢視図である。
【図６】半面化粧カバーを開いた状態での図４のＶＩ矢視図である。
【図７】フロントパネル本体の正面図である。
【図８】フロントパネル本体の概略背面図である。
【図９】図８のＩＸ部の詳細を示した拡大図である。
【図１０】図８のＸ部の詳細を示した拡大図である。
【図１１】全面化粧カバー又は半面化粧カバーの開閉揺動支点を示した説明図である。
【図１２】一方側の第１取付部に取り付けられた第１開閉支援機構の背面図である。
【図１３】他方側の第１取付部に取り付けられた第１開閉支援機構の背面図である。
【図１４】閉位置の全面化粧カバーの駆動歯車と従動歯車との噛合い構成を示した説明図である。
【図１５】開位置の全面化粧カバーの駆動歯車と従動歯車との噛合い構成を示した説明図である。
【図１６】一方側の第２取付部に取り付けられた第２開閉支援機構の背面図である。
【図１７】他方側の第２取付部に取り付けられた第２開閉支援機構の背面図である。
【図１８】閉位置の半面化粧カバーの偏心カムと第２開閉支援機構との位置関係を示した説明図である。
【図１９】開位置の半面化粧カバーの偏心カムと第２開閉支援機構との位置関係を示した説明図である。
【発明を実施するための形態】
【００１６】
図１は本発明の実施形態に係る全面化粧カバーが取り付けられたフロントパネルの正面図、図２は全面化粧カバーを閉じた状態での図１のＩＩ矢視図、図３は全面化粧カバーを開いた状態での図１のＩＩＩ矢視図である。
【００１７】
図１〜図３に示したフロントパネルＡは、偏平な矩形箱形の電気機器キャビネットの前端部に装備される。図例のフロントパネルＡは横長形状に形成されていて、横長形状のフロントパネル本体１０と、このフロントパネル本体１０に取り付けられた化粧カバー５０とを有している。図例の化粧カバー５０は、フロントパネル本体１０の下端前部に設けられている支軸８０によって開閉揺動可能に支えられていて、図２に示した起立姿勢の閉位置では、フロントパネル本体１０の前面全体を覆い隠すサイズに形成されている。また、図３に示した開位置の化粧カバー５０は、その一端部５１がフロントパネル本体１０の下面１１に重なり合って水平な倒伏姿勢を維持するようになっている。
【００１８】
図４は本発明の実施形態に係る半面化粧カバーが取り付けられたフロントパネルの正面図、図５は半面化粧カバーを閉じた状態での図４のＶ矢視図、図６は半面化粧カバーを開いた状態での図４のＶＩ矢視図である。
【００１９】
図４〜図６に示したフロントパネルＡは、上記したものと同様の矩形箱形の電気機器キャビネットの前端部に装備される。図例のフロントパネルＡは横長形状に形成されていて、横長形状のフロントパネル本体１０と、このフロントパネル本体１０に取り付けられた化粧カバー６０とを有している。図例の化粧カバー６０は、フロントパネル本体１０の下端前部に設けられている支軸８０によって開閉揺動可能に支えられていて、図５に示した起立姿勢の閉位置では、フロントパネル本体１０の前面の下半部を覆い隠すサイズに形成されている。また、図６に示した開位置の化粧カバー６０は、その一端部６１がフロントパネル本体１０の下面１１に重なり合って水平な倒伏姿勢を維持するようになっている。
【００２０】
図１〜図３に示した化粧カバー５０と、図４〜図６に示した化粧カバー６０とを対比すると、横幅サイズが同一であるけれども、縦幅サイズについては図１〜図３に示した化粧カバー５０が図４〜図６に示した化粧カバー６０よりも大きい。そのため、図例のようにフロントパネル本体１０の下端前部に設けられている支軸８０によって各化粧カバー５０，５０を開閉揺動可能に支えた構成を採用したときには、開閉時のモーメントの大きさは、図１〜図３に示した化粧カバー５０が図４〜図６に示した化粧カバー６０よりも大きい。なお、図４〜図６に示したフロントパネル本体１０の形状やサイズは、図１〜図３に示したフロントパネル本体１０のそれと同一であるので、図１〜図６にあっては、フロントパネル本体１０や支軸８０に同一符号を付してある。
【００２１】
ここで、図１〜図３に示した化粧カバー５０は、閉位置ではフロントパネル本体１０の前面の全体を覆い隠してその前面のデザインを支配するので、以下の説明では全面化粧カバー５０と称することにする。同様に、図４〜図６に示した化粧カバー６０は、閉位置ではフロントパネル本体１０の前面の下半部を覆い隠してその前面のデザインを支配するので、以下の説明では半面化粧カバー６０と称することにする。また、全面化粧カバー５０は半面化粧カバー６０よりも縦幅サイズが大きいことにより、全面化粧カバー５０は本発明の発明特定要素である第１カバーに相当し、半面化粧カバー６０は本発明の発明特定要素である第２カバーに相当している。
【００２２】
図７はフロントパネル本体１０の正面図である。同図に示したように、横長のフロントパネル本体１０には、開閉扉２１を備えた磁気テープカセットの搬入搬出口２２と、開閉扉２３を備えたディスク搬入出用のディスクトレイの出退口２４が横並びに設けられているほか、磁気テープカセットを制御するための停止／取出し用のボタン２５、ディスクトレイを制御するためのボタン２６などが設けられている。一点鎖線Ｌ１，Ｌ２は、開閉扉２１，２３の開閉揺動中心を示している。また、上記した搬入搬出口２２や出退口２４の下側に、電源スイッチ２７や切換スイッチ２８、各種表示灯２９などが横配列されている。さらに、それらの電源スイッチ２７や切換スイッチ２８、各種表示灯２９などの下側に、磁気テープカセットやディスクを制御するための各種のボタン列３１や動作状態を示す表示窓３２、各種の通信デバイスの装着部３３などが横並びに設けられている。
【００２３】
さらに、フロントパネル本体１０の縦幅方向下部には、中央部２箇所と横幅方向両端部の２箇所とにそれぞれ縦長矩形の開口部４１，４１，４５，４５が横並び状態で開設されている。これらの開口部４１，４５のそれぞれには、上記した支軸８０…、すなわち、フロントパネル本体１０の下端前部に設けられている支軸８０…が同心状に位置している。一点鎖線Ｌは、各支軸８０が同心配列されていることを示した支軸８０の軸線である。
【００２４】
図１１は、上記した全面化粧カバー５０又は半面化粧カバー６０を支軸８０に支えさせることによって、この支軸８０で全面化粧カバー５０又は半面化粧カバー６０の開閉揺動支点を形成させた状態を示している。同図によって明らかなように、全面化粧カバー５０の縦幅方向一端部５１の裏面に軸受５２が設けられている。この軸受５２は、図７に示した４箇所の各支軸８０…に各別に対応するように全面化粧カバー５０の裏面の横方向４箇所に設けられている。また、それぞれの軸受５２は周方向の一箇所が欠除されていて、その欠除箇所５３を利用して支軸８０に軸受５２を嵌め込むことができるようになっている。そして、同図のように、軸受５２を支軸８０に嵌め込んだ状態では、全面化粧カバー５０が支軸８０に支えられ、その支軸８０によって形成された開閉揺動支点を中心として、図２又は図３に示したように全面化粧カバー５０が起立姿勢の閉位置と倒伏姿勢の開位置と間で開閉揺動可能である。また、図１１に便宜上併せて示したように、半面化粧カバー６０の縦幅方向一端部６１の裏面に軸受６２が設けられている。この軸受６２は、図７に示した４箇所の各支軸８０…に各別に対応するように半面化粧カバー６０の裏面の横方向４箇所に設けられている。また、それぞれの軸受６２は周方向の一箇所が欠除されていて、その欠除箇所６３を利用して支軸８０に軸受６２を嵌め込むことができるようになっている。そして、同図のように、軸受６２を支軸８０に嵌め込んだ状態では、半面化粧カバー６０が支軸８０に支えられ、その支軸８０によって形成された開閉揺動支点を中心として、図５又は図６に示したように半面化粧カバー６０が起立姿勢の閉位置と倒伏姿勢の開位置と間で開閉揺動可能である。
【００２５】
ところで、上記したように全面化粧カバー５０は半面化粧カバー６０よりも重量が重い。そのため、フロントパネル本体１０に全面化粧カバー５０を取り付けた場合と半面化粧カバー６０を取り付けた場合とでは、それぞれの化粧カバー５０，６０に適した特性を発揮する種類の開閉支援機構を採用することが望まれ、そうすることによって、全面化粧カバー５０や半面化粧カバー６０の開閉時の動作品位を向上させることが可能である。
【００２６】
そこで、この実施形態では、フロントパネル本体１０に全面化粧カバー５０を取り付けた場合には、その開閉支援機構（第１開閉支援機構）としてオイルダンパー（後述する）を採用し、フロントパネル本体１０に半面化粧カバー６０を取り付けた場合には、その開閉支援機構（第２開閉支援機構）として板ばね材（後述する）を採用している。
【００２７】
図８はフロントパネル本体１０の概略背面図、図９は図８のＩＸ部の詳細を示した拡大図、図１０は図８のＸ部の詳細を示した拡大図である。
【００２８】
図８のように、フロントパネル本体１０の裏面側には、上記のオイルダンパーでなる第１開閉支援機構を取付け可能な第１取付部７１と、上記の板ばね材でなる第２開閉支援機構を取付け可能な第２取付部７５とが備わっている。図例では、第１取付部７１が、フロントパネル本体１０の横幅方向両端部の２箇所に開設されている縦長矩形の開口部４５の横位置に近接して設けられているのに対し、第２取付部７５がその開口部４５の上側位置に近接して設けられている。図９及び図１０に示したように、２箇所に設けられている第１取付部７１，７１は、フロントパネル本体１０の裏面からの出幅が適切に定められたリブの枠組みでなる。そして、第１取付部７１には、取付ビスがねじ込まれるボス部７２と位置決め用の２つの突起７３，７４とが設けられている。これに対し、第２取付部７５は、フロントパネル本体１０の裏面に突設されたリブによって形成されていて、そのリブに溝部７６が備わっている。また、図８に示したように、フロントパネル本体１０の裏面側には、横方向の２箇所にマグネットを取付け可能なマグネット取付部７７が設けられている。
【００２９】
次に、全面化粧カバー５０が取り付けられたフロントパネル本体１０を説明する。フロントパネル本体１０に全面化粧カバー５０を取り付けた状態では、全面化粧カバー５０の裏面側の４箇所の軸受５２が、フロントパネル本体１０側の４箇所の支軸８０によって揺動可能に支えられている（図１１参照）。
【００３０】
図１２及び図１３は上記した２箇所の第１取付部７１，７１のそれぞれに取り付けられたダンパーでなる第１開閉支援機構９１，９１を示した背面図である。図１２及び図１３に示したように、第１開閉支援機構９１は、従動歯車９２と抵抗付与手段９３と取付座９４とを備えるオイルダンパーによって形成されていて、従動歯車９２の回転運動に対して、抵抗付与手段９３によって発揮されるオイルの流動抵抗が常時付与されるようになっている。そして、図１２に示した一方側の第１取付部７１や図１３に示した他方側の第１取付部７１には、第１開閉支援機構９１の取付座９４が、図９及び図１０に示したボス部７２にねじ込んだ取付けビス９５によって取り付けられている。そして、この取付状態では、図１２及び図１３のように、第１開閉支援機構９１の従動歯車９２が上記した開口部４５に臨んでいる。
【００３１】
図１４は全面化粧カバー５０が閉位置に位置しているときに、その全面化粧カバー５０に設けられている駆動歯車９６と第１開閉支援機構９１の従動歯車９２との噛合い箇所の構成を示した説明図、図１５は全面化粧カバー５０が開位置に位置しているときに、その全面化粧カバー５０に設けられている駆動歯車９６と第１開閉支援機構９１の従動歯車９２との噛合い箇所の構成を示した説明図である。
【００３２】
全面化粧カバー５０の裏面の横方向両端部の２箇所に設けられている軸受５２，５２のそれぞれの偏心箇所に、第１作用部材としての扇形の駆動歯車９６が連設されている。そして、これらの駆動歯車９６が、フロントパネル本体１０の横幅方向両端部の２箇所に開設されている縦長矩形の上記開口部４５，４５に各別に挿通されて、それらの開口部４５，４５に臨んでいる上記従動歯車９２，９２と噛み合っている。このため、図１４の矢印Ｃ１のように全面化粧カバー５０が閉方向に揺動されると、それに伴って駆動歯車９６も揺動して従動歯車９２を回転させる。このときの従動歯車９２の回転運動には、第１開閉支援機構９１の抵抗付与手段９３によって一定の抵抗が付与される。また、図１５の矢印Ｃ２のように全面化粧カバー５０が開方向に揺動されると、それに伴って駆動歯車９６も揺動して従動歯車９２を回転させる。このときの従動歯車９２の回転運動にも、第１開閉支援機構９１の抵抗付与手段９３によって一定の抵抗が付与される。したがって、全面化粧カバー５０がその自重の影響を受けて急激に開閉したりすることがなくなり、全面化粧カバー５０の開閉時に優れた動作品位が付与されるようになる。
【００３３】
この実施形態では、図８に示したようにフロントパネル本体１０の２箇所にマグネット取付部７７が設けられていて、全面化粧カバー５０を採用するときには、そのマグネット取付部７７にマグネットが装備される。マグネットの取付手段には、マグネットをマグネト取付部７７に接着剤で接合したり、別途用意した取付具を用いてマグネットをマグネット取付部７７に取り付けたりすることが行われる。また、全面化粧カバー５０側には、閉位置で上記マグネットに対応する位置に吸着片５４（図２又は図３参照）が装備される。したがって、全面化粧カバー５０の閉位置は、吸着片５４がマグネットに吸引されることによって維持される。
【００３４】
次に、半面化粧カバー６０が取り付けられたフロントパネル本体１０を説明する。フロントパネル本体１０に半面化粧カバー６０を取り付けた状態では、半面化粧カバー６０の裏面側の４箇所の軸受６２が、フロントパネル本体１０側の４箇所の支軸８０によって揺動可能に支えられている（図１１参照）。
【００３５】
図１６及び図１７は上記した２箇所の第２取付部７５のそれぞれに取り付けられた板ばね材でなる第２開閉支援機構９７を示した背面図である。図１６及び図１７に示したように、第２開閉支援機構９７は、ばね板部９８とこのばね板部９８の端部に曲成された取付板部９９とを備える板ばね材によって形成されている。そして、図１６に示した一方側の第２取付部７５や図１７に示した他方側の第２取付部７５の溝部７６には、第２開閉支援機構９７の取付板部９９が圧入状に差し込まれて取り付けられている。なお、必要があれば、取付板部９９を接着剤を用いて第２取付部７５に接合することによって、取付板部９９の第２取付部７５からの脱落を防止することが行われる。この取付状態では、図１６及び図１７のように、第２開閉支援機構９７のばね板部９８が上記した開口部４５に臨んでいる。
【００３６】
図１８は半面化粧カバー６０が閉位置に位置しているときに、その半面化粧カバー６０に設けられている第２作用部材としての偏心カム１００と第２開閉支援機構９７のばね板部９８との位置関係を示した説明図、図１９は半面化粧カバー６０が開位置に位置しているときに、偏心カム１００と第２開閉支援機構９７のばね板部９８との位置関係を示した説明図である。
【００３７】
半面化粧カバー６０の裏面の横方向両端部の２箇所に設けられている軸受６２のそれぞれの偏心箇所に、第２作用部材としての上記偏心カム１００が連設されている。そして、これらの偏心カム１００が、フロントパネル本体１０の横幅方向両端部の２箇所に開設されている縦長矩形の上記開口部４５に各別に挿通されて、それらの開口部４５に臨んでいる上記ばね板部９８に対峙している。そして、図１８の矢印Ｃ３のように半面化粧カバー６０を開位置から閉方向に揺動させていくと、偏心カム１００がばね板部９８をその弾性に抗して前方へ押し込みながらそのばね板部９８と摺動する。このような摺動動作を通じて半面化粧カバー６０が閉位置に近付いていくと、ばね板部９８の弾性復元作用が矢印Ｘのように偏心カム１００に作用してその偏心カム１００が下方へ弾圧されるようになる。そして、ばね板部９８の弾性復元作用で偏心カム１００が下方へ弾圧されると、半面化粧カバー６０がばね板部９８の弾圧力により自然に揺動してフロントパネル本体１０に重なり合う閉位置に到達する。また、閉位置では、ばね板部９８が偏心カム１００を下方へ弾圧したままになるので、半面化粧カバー６０が閉位置に保持される。また、図１９の矢印Ｃ４のように半面化粧カバー６０が開方向に揺動されると、それに伴って偏心カム１００がばね板部９８を乗り越えてそのばね板部９８から離れる。したがって、半面化粧カバー６０がその自重で倒伏姿勢になって開位置を維持する。
【００３８】
ところで、フロントパネル本体１０の横幅方向両端部の２箇所に開設されている縦長矩形の開口部４５は、全面化粧カバー５０をフロントパネル本体１０に取り付けたときには、第１開閉支援機構９１の従動歯車９２に噛み合う第１作用部材としての駆動歯車９６を挿通させるための第１開口部として役立っている。また、上記開口部４５は、半面化粧カバー６０をフロントパネル本体１０に取り付けたときには、第２開閉支援機構９７のばね板部９８を作用させる第２作用部材としての偏心カム１００を挿通させるための第２開口部として役立っている。したがって、全面化粧カバー５０の開閉運動を第１開閉支援機構９１に伝達する第１作用部材としての駆動歯車９６が挿通される第１開口部と、半面化粧カバー６０の開閉運動を第２開閉支援機構９７に伝達する第２作用部材としての偏心カム１００が挿通される第２開口部とが、上記開口部４５で供用されている。このように、第１及び第２の上記各開口部を１つの開口部４５で供用する構成を採用すると、フロントパネル本体１０に設けるべき開口部の数が削減されてそれだけフロントパネル本体１０の構成が簡素化される。
【００３９】
以上説明した実施形態では、重量の重い全面化粧カバー５０の開閉動作を制御するための第１開閉支援機構９１としてオイルダンパー機構を採用し、重量の軽い半面化粧カバー６０の開閉動作を制御するための第２開閉支援機構９７として板ばね材を採用しているけれども、この点は、全面化粧カバー５０や半面化粧カバー６０の重量を勘案した上で、その開閉時の動作品位を向上させることのできる他の機構を採用することも可能である。
【符号の説明】
【００４０】
Ａ  フロントパネル
１０  フロントパネル本体
４５  開口部（第１及び第２の開口部）
５０  全面化粧カバー（第１カバー）
５４  吸着片
６０  半面化粧カバー（第２カバー）
７１  第１取付部
７５  第２取付部
７７  マグネット取付部
８０  支軸
９１  第１開閉支援機構
９２  従動歯車
９３  抵抗付与手段
９４  取付座
９６  駆動歯車（第１作用部材）
９７  第２開閉支援機構
９８  ばね板部
９９  取付板部
１００  偏心カム（第２作用部材）
【図１】
2012053935.tif 000003
【図２】
2012053935.tif 000004
【図３】
2012053935.tif 000005
【図４】
2012053935.tif 000006
【図５】
2012053935.tif 000007
【図６】
2012053935.tif 000008
【図７】
2012053935.tif 000009
【図８】
2012053935.tif 000010
【図９】
2012053935.tif 000011
【図１０】
2012053935.tif 000012
【図１１】
2012053935.tif 000013
【図１２】
2012053935.tif 000014
【図１３】
2012053935.tif 000015
【図１４】
2012053935.tif 000016
【図１５】
2012053935.tif 000017
【図１６】
2012053935.tif 000018
【図１７】
2012053935.tif 000019
【図１８】
2012053935.tif 000020
【図１９】
2012053935.tif 000021